(57)【要約】【課題】照射された光が提灯表面で明暗に搖動するようになすことで、光源からの光効果を生かし、ゆらぎ効果によって見る人に対して癒しを与える効果をより大きく発揮せしめることのできる提灯を提供する。【解決手段】火袋保持具に取付けられる紐引掛け具と、該紐掛け具に吊り下げられる吊り紐と、当該釣り紐に吊り下げられる前記光源ユニット、当該の吊り紐に吊り下げられる風受け部又は火袋に取り付けた吊り紐に吊り下げられる風受け部と、を有し、風受け部が風を受けて搖動されて、光源ユニットが、記紐引掛け具を支点として搖動し、火袋との間の間隔が変化し、火袋が、光源ユニットからの光で４方の側方外面部で異なった輝度を生じさせる。【選択図】図１
2019125539.tif 000002
【特許請求の範囲】
【請求項１】
下方に開口が形成される火袋と、前記火袋の上部を保持する火袋保持具と、前記火袋の内部に配設され、電源投入部と発光する発光部とを有する光源ユニットと、を備えた提灯において、
該火袋保持具に取付けられる紐引掛け具と、該紐掛け具に吊り下げられる吊り紐と、当該釣り紐に吊り下げられる前記光源ユニットと、当該光源ユニットに吊り下げられる他の吊り紐及び当該吊り紐に吊り下げられる風受け部、前記紐掛け具に吊り下げられる吊り紐が前記光源ユニットの下方まで延在して、当該延在した部分に吊り下げられる風受け部、又は前記火袋の下端部に吊り下げられる他の吊り紐及び当該吊り紐に吊り下げられる風受け部と、を有し、
前記風受け部が風を受けて垂直方向に対して横方向に搖動されて、前記光源ユニットが前記火袋に対して相対的に搖動され、又は前記火袋が前記光源ユニットに対して相対的に搖動され、前記光源ユニットと前記火袋との任意の間の間隔が変化され、前記火袋が、前記光源ユニットからの光で４方の側方外面部で前記変化に伴う輝度変化を生じさせること
を特徴とする提灯。
【請求項２】
請求項１に記載の提灯において、前記光源ユニットに、風鈴及び打ち金が取付けられ、前記風受け部が風を受けて垂直方向に対して横方向に搖動されると、前記風鈴及び打ち金が前記光源ユニットあるいは前記火袋と共に相対的に搖動され、前記４方の側方外面部で前記変化に伴う輝度変化に連動する形態で、風鈴及び打ち金が互いに衝打した音を発することを特徴とする提灯。
【請求項３】
請求項１又は請求項２のいずれかに記載の提灯において、前記火袋は、側方外面部が、幅広部と幅狭部とを有して形成され、前記火袋の側方外面部が円形形状に形成された提灯に比較して、前記光源ユニットと前記火袋との任意の間の間隔がより大きく変化され、前記火袋が、前記光源ユニットからの光で４方の側方外面部で前記より大きな変化に伴うより大きな輝度変化を生じさせることを特徴とする提灯。
【請求項４】
請求項１〜３のいずれかに記載された提灯であって、火袋の側方外面部が円形形状に形成された提灯と火袋の側方外面部が幅広部と幅狭部とを有して形成された提灯とが集合されて集合体が形成され、当該集合体が一つの支持体に、前記火袋保持具でそれぞれ取り付けられ、それぞれの火袋が、それぞれの光源ユニットからの光で４方の側方外面部でそれぞれの変化に伴う輝度変化を生じさせることを特徴とする提灯の集合体。
【発明の詳細な説明】
【技術分野】
【０００１】
本発明は、提灯に関する。
【背景技術】
【０００２】
従来、提灯に用いられる光源としては典型的には、ろうそくあるいは電灯が適用されている。この種の構造としては、例えば、特許文献１には、提灯の火袋の内部に風鈴の鐘を吊り下げると共にこの風鈴の短冊を提灯の下部開口枠の中を通って下方へ垂れ下がっている吊り紐に固定してなる風鈴付提灯が記載される。また、この風鈴付提灯の火袋の上方には上部開口枠が固定されていて、この上部開口枠の底面にはソケットが取り付けられ、このソケットに電灯が取り付けられており、これにより風鈴付提灯の内部に電灯が設けられていることが記載される。
【先行技術文献】
【特許文献】
【０００３】
【特許文献１】実開平０５−２３３０４号公報
【発明の概要】
【発明が解決しようとする課題】
【０００４】
風鈴は、一般に短冊に風が当たることで揺れ、これにより風鈴の打ち金が鐘に当たることで音が発せられる。ここで、短冊は、風受け部として機能し、風受け部は、風鈴の打ち金を鐘に当てる機能として作用する。
【０００５】
提灯は、見る人に対して癒しを与える効果を有する
特許文献１の風鈴付提灯は、ソケットを介して電灯を上部開口枠に取付けて固定している。
【０００６】
見る人に対して癒しを与える効果をより発揮せしめ、四季を通して楽しむことのできる提灯が求められる。
【０００７】
特許文献１に記載されたような電灯固定形態であると、火袋の外表面から発せられる光による癒し効果は固定された光源からの光による効果に留まり、大きな癒し効果に限界があった。
【０００８】
本発明は、係る点に鑑み、光源から照射された光が火袋の外表面で明暗の変化を生じさせることで光源からの光効果を増大せしめ、ゆらぎ効果によって見る人に対して癒しを与える効果を与えるようにすることで、提灯が、その使用が夏場に限られていたのを、季節に限定されずに有効に楽しむことができるようにすることを課題とする。
【課題を解決するための手段】
【０００９】
本発明は、下方に開口が形成される火袋と、前記火袋の上部を保持する火袋保持具と、前記火袋の内部に配設され、電源投入部と発光する発光部とを有する光源ユニットと、を備えた提灯において、
該火袋保持具に取付けられる紐引掛け具と、該紐掛け具に吊り下げられる吊り紐と、当該釣り紐に吊り下げられる前記光源ユニットと、当該光源ユニットに吊り下げられる他の吊り紐及び当該吊り紐に吊り下げられる風受け部、前記紐掛け具に吊り下げられる吊り紐が前記光源ユニットの下方まで延在して、当該延在した部分に吊り下げられる風受け部、又は前記火袋の下端部に吊り下げられる他の吊り紐及び当該吊り紐に吊り下げられる風受け部と、を有し、
前記風受け部が風を受けて垂直方向に対して横方向に搖動されて、前記光源ユニットが前記火袋に対して相対的に搖動され、又は前記火袋が前記光源ユニットに対して相対的に搖動され、前記光源ユニットと前記火袋との任意の間の間隔が変化され、前記火袋が、前記光源ユニットからの光で４方の側方外面部で前記変化に伴う輝度変化を生じさせること
を特徴とする提灯を提供する。
【００１０】
本発明は、上述された提灯において、前記光源ユニットに、風鈴及び打ち金が取付けられ、前記風受け部が風を受けて垂直方向に対して横方向に搖動されると、前記風鈴及び打ち金が前記光源ユニットあるいは前記火袋と共に相対的に搖動され、前記４方の側方外面部で前記変化に伴う輝度変化に連動する形態で、風鈴及び打ち金が互いに衝打した音を発することを特徴とする提灯を提供する。
【００１１】
本発明は、上述された提灯において、提灯において、前記火袋は、側方外面部が、幅広部と幅狭部とを有して形成され、前記火袋の側方外面部が円形形状に形成された提灯に比較して、前記光源ユニットと前記火袋との任意の間の間隔がより大きく変化され、前記火袋が、前記光源ユニットからの光で４方の側方外面部で前記より大きな変化に伴うより大きな輝度変化を生じさせることを特徴とする提灯を提供する。
【００１２】
本発明は、上述した提灯であって、火袋の側方外面部が円形形状に形成された提灯と火袋の側方外面部が幅広部と幅狭部とを有して形成された提灯とが集合された集合体が形成され、当該集合体が一つの支持体に、前記火袋保持具でそれぞれ取り付けられ、それぞれの火袋が、それぞれの光源ユニットからの光で４方の側方外面部でそれぞれの変化に伴う輝度変化を生じさせることを特徴とする提灯の集合体を提供する。
【発明の効果】
【００１３】
本発明は、上述のように構成したので、風受け部が風を受けて垂直方向に対して横方向に搖動されて、前記光源ユニットが前記火袋に対して相対的に搖動され、又は火袋が光源ユニットに対して相対的に搖動され、光源ユニットと火袋との任意の間の間隔が変化される。これに伴って、火袋が、前記光源ユニットからの光で４方の側方外面部で当該変化に伴う輝度変化を生じさせることができる。
【００１４】
光源から照射された光が火袋の外表面で明暗の変化を生じさせることで光源からの光効果を増大せしめ、ゆらぎ効果によって見る人に対して癒しを与える効果を与えるようにすることで、その使用が夏場に限られていた提灯を、季節に限定されずに有効に楽しむことができる提灯として提供できる。
【図面の簡単な説明】
【００１５】
【図１】本発明の実施例における風鈴付の提灯の構造を示す図
【図２】図１の風鈴付の提灯の電源投入部の構造を断面図で示す図
【図３】図１の風鈴付の提灯の光源部の揺れによる光の揺れる状況を説明する図
【図４】本発明の実施例の他の例における提灯の構造を示す図
【図５】本発明の実施例の他の例における風鈴付の提灯の構造を示す図
【図６】図５の提灯の光源部の揺れによる光の揺れる状況を説明する図
【図７】本発明の実施例の他の例における提灯の構造を示す図
【図８】本発明の実施例の他の例における提灯の構造を示す図
【図９】本発明の実施例の他の例における提灯の構造を示す図
【図１０】本発明の実施例になる提灯を集合化して、ゆらぎ効果を集合化できるようにした例を示す図
【発明を実施するための形態】
【００１６】
以下、本発明を実施するための形態を図面に基づいて説明する。
【００１７】
図１は、本発明の実施例の提灯の構造を示す図である。
【００１８】
図１は、本発明の実施例（以下、本実施例と称する。）における、一部断面部を含む提灯の構造を示す構造図である。
【００１９】
本実施例の提灯１００は、風鈴付の提灯であり、火袋１は、ひょうたん状円筒をなし、水平方向断面で円形をなす風鈴付の提灯である。火袋１は、火袋１の下端に形成された開口部９を持つ。この火袋１の内部に配設された、電源投入部１１及び発光部１５を有する光源ユニット２と、火袋１の上部を保持する、吊り下げ紐１８と火袋保持部３Ａとからなる火袋保持具３と、この火袋保持具３に取付けられる紐引掛け具４と、火袋１の内部に配置され、紐引掛け具４に吊り紐６の引掛けで吊り下げられる風鈴２１、打ち金２３を持つ。吊り紐６に取付けられる風受け部２４を持つ。ここでは、吊り紐６とこの吊り紐６に取付けられる風受け部２４とを風鈴ユニット５と総称する。風鈴ユニット５には、この吊り紐６に取付けられる他の部材、打ち金２３が含まれる場合もある。火袋保持具３は、吊り下げ紐１８と火袋保持部３Ａとから形成されているが、火袋保持部３Ａを使用しない場合もある。
【００２０】
光源ユニット２は、基板１０に電源投入部１１及び発光部１５が装着されて構成され、光源ユニット２が吊り紐６によって吊り下げられる。この基板１０に吊り紐６が結び付けられて、この吊り紐６が紐引掛け具４に引掛けられて吊り下げられることにより光源ユニット２と発光部１５が火袋１内に紐（ゴムであっても構わない。）で吊り下げられた状態を呈する。
【００２１】
風鈴ユニット５は、吊り紐６Ａに結び付けられる。光源ユニット２が、吊り紐６によって吊り下げられる。この吊り下げ状態で発光部１５に発光させることができる。この例の場合、吊り紐６、６Ａに光源ユニット２及び風鈴ユニット５の双方が直接結びつけられ、吊り下げられている。風鈴ユニット５が、光源ユニット２を介することで、紐引掛け具４に引掛けられた吊り紐６、６Ａに間接的に結び付けられ、吊り下げられる。
【００２２】
風鈴ユニット５を紐引掛け具４に引掛けられた吊り紐６に間接的に結び付ける場合には、吊り紐６Ａを使用することなく、後述する基板１０の中央に吊り紐６が接触して通過するほどの小さな孔（図示せず）を形成し、吊り紐６を、当該孔を通過させることで、風鈴ユニット５を吊り紐６に直接結び付けられ、吊り下げられる。
【００２３】
本件実施例で、吊り紐で吊り下げるとは、直接的な吊り下げ及び間接的な吊り下げの双方の概念を包含する形態で使用される。
【００２４】
風受け部２４が風Ｗを受けて搖動されると、風鈴ユニット５が搖動する。風鈴ユニット５の搖動に伴って光源ユニット２が紐引掛け具４を中心として搖動する。この搖動によって光源ユニット２は、火袋１に対する位置を変える。すなわち、火袋１の中心の垂直方向に対して水平方向にある火袋側面の任意位置を想定したときに、光源ユニット２は、火袋側面の任意位置に対して近づいたり遠ざかったりする。任意の水平方向の搖動方向をS１とし、S１に対して直角の搖動方向をS２とすると、Ｓ１とＳ２は、光源ユニット２の搖動する方向を示し、光源ユニット２が、紐引掛け具４を中央として搖動する。すると、光源ユニット２と火袋１との間の間隔が搖動する方向Ｓ１とＳ２に依存して変化し、Ｓ１が方向の火袋１に交差する両側点、及びＳ２方向の火袋１に交差する両側点で、光源ユニット２から得られた相対的に変化する光強さに対応して火袋１を通過する光強さによって、火袋１は、４方の側方外面部で異なった輝度を生じさせることになる。
【００２５】
このように、風受け部２４が風を受けて搖動され、光源ユニット２が、紐引掛け具４を支点として搖動し、火袋１との間の間隔が変化し、火袋１が、光源ユニット２からの照射された光で４方の側方外面部で異なった輝度を生じさせる。
【００２６】
風受け部２４の風を受けて搖動、これに伴う光源ユニット２の搖動が発生し、提灯１００自体にも搖動が発生するが、双方の搖動には振幅、振幅時間に差が生じる。
【００２７】
図１に示される例によれば、提灯１００は、火袋保持具３に取付けられる紐引掛け具４と、紐掛け具４に吊り下げられる吊り紐６と、釣り紐６に吊り下げられる光源ユニット２と、光源ユニット２に吊り下げられる他の吊り紐６Ａ及び吊り紐６Ａに吊り下げられる風受け部２４を有する。
【００２８】
風受け部２４が風を受けて垂直方向に対して横方向に搖動されて、光源ユニット２が火袋１に対して相対的に搖動され、光源ユニット２と火袋１との任意の間の間隔が変化され、火袋１が、光源ユニット２からの光で４方の側方外面部で当該変化に伴う輝度変化を生じさせる。
【００２９】
また、提灯１００は、火袋保持具３に取付けられる紐引掛け具４と、紐掛け具４に吊り下げられる吊り紐６と、釣り紐６に吊り下げられる光源ユニット２と、紐掛け具に吊り下げられる吊り紐６が前記光源ユニットの下方まで延在して、当該延在した部分に吊り下げられる風受け部２４を有する。
【００３０】
風受け部２４が風を受けて垂直方向に対して横方向に搖動されて、光源ユニット２が火袋１に対して相対的に搖動され、光源ユニット２と火袋１との任意の間の間隔が変化され、火袋１が、光源ユニット２からの光で４方の側方外面部で当該変化に伴う輝度変化を生じさせる。
【００３１】
図１の例によれば、提灯１００は、下方に開口が形成される火袋１と、該火袋１の内部に配設され、光源ユニット２と、火袋１の上部を保持する火袋保持具３と、火袋保持具３に取付けられる紐引掛け具４と、吊り紐Ａ６に取付けられる風受け部２４と、からなり、光源ユニット２は、吊り紐６によって吊り下げられた状態で発光することが可能とされ、風受け部２４が風Ｗを受けて搖動されると、光源ユニット２が搖動され、火袋１との水平方向の間隔が水平位置によって随時変わり、火袋外面における光の強さすなわち、輝度が変化する構成となっている。
【００３２】
本実施例の風鈴付の提灯についてさらに詳述する。
【００３３】
火袋１は、竹ひごの骨組みに和紙が貼付けられて形成され、外面がひょうたん状を呈する。本実施例の風鈴付の提灯１００は、水平方向断面で円形状であり、ここではこのような提灯を火袋の側方外面部が円形形状に形成された提灯と称する。
【００３４】
火袋１の下端には開口部９が形成され、開口部に口金部８が形成される。この開口部９から、光源ユニット２や風鈴ユニット５などの部品が内部に挿入されることで、これらの部品が火袋１の内部に配設されることとなる。口金部８は、金属製である。補強のため例えば木製環状の補強部材が取り付けられてもよい。
【００３５】
この火袋１の形状や構造は、光源ユニット２や風鈴ユニット５などの部品が内部に挿入できる開口部９を備えることで種々の形状や構造をとり得る。
【００３６】
火袋保持具３は、火袋１の上部の和紙の部分に糊付けされるか、火袋１の上部の補強部分に取付けられる。また、火袋保持具３の頭頂部には、吊り下げ紐１８が取り付けられており、この吊り下げ紐１８を外部のフック等の引掛け部に引掛けて吊り下げることで、火袋保持具３に取付けられた火袋１すなわち提灯を吊り下げることができる。これにより、火袋保持具３は火袋１を保持することとなる。
【００３７】
火袋保持具３の下部には、紐引掛け具４が取り付けられている。図示するように、紐引掛け具４は、火袋１の内部に配設される。この紐引掛け具４は、先端が折れ曲がったフック状の形状をしており、吊り紐６を引掛けてこの吊り紐６を吊り下げるようになっている。ここで、紐引掛け具４の形状は、吊り紐６を引掛けて吊り下げられるものであれば別形状のものであってもよい。
【００３８】
吊り紐６の下方紐は、４つに分けられ、各下方紐が基板１０の四方の角部付近に設けられる孔部に括り付けられて基板１０を取り下げる状態とする。ここで、バランスよく基板１０を吊り下げるために、４つの下方紐は、結び目７の部分で団子状に結び付けられ、基板１０の中央部位置に吊り下げられた状態を形成することができる。この吊り紐６の基板１０への結び方は、基板１０を吊り下げられるものであれば、別の結び方であってもよい。
【００３９】
基板１０の上部には、電源投入部１１、電池収納部１３、電池１４からなる電源部が取り付けられ、また基板１０の下部には、光源となる発光部１５が取り付けられ、光源ユニット２が構成される。
【００４０】
この発光部１５の発光により火袋１の内部、特に基板１０の側方及び下方が光Lにより照射されることとなる。これら、電源投入部１１、電池１４、発光部１５は図示しない電気回路により電気的に接続されており、電源投入部１１のスイッチング操作による電流の発生により、発光部１５へ電流が流れて発光される。発光部１５としては、ＬＥＤ素子が用いられる。
【００４１】
光源ユニット２は、上述の基板１０、電源投入部１１、電池収納部１３、電池１４、発光部１５その他回路部品により構成される。
【００４２】
基板１０に形成される孔部には、接続紐１２が括り付けられて下部に伸び、これが風鈴２１に結び付けられる。これにより、風鈴２１は接続紐１２によって基板１０から基板１０の中央の下方に吊り下げられる。
【００４３】
電源投入部１１の後述するスイッチング部３０から吊り紐６Ａが括り付けられて、下方に垂らされる。ここで吊り紐６Ａには、打ち金２３が風鈴２１と接触する位置に取付けられる。また、吊り紐６Ａの下部には風受け部２４が取り付けられる。この風受け部２４としては、例えば短冊が採用されるが、風受け部２４として光源ユニット２を搖動させ得るものであれば短冊以外のものを風受け手段として用いられ得る。以下の実施例は、風受け部２４は、短冊を用いた例について説明する。
【００４４】
この風受け部２４に形成された孔部に吊り紐６の下端を括り付けることにより、風受け部２４は吊り紐６Ａによって吊り下げられる。この吊り紐６Ａにより、光源ユニット２と風受け部２４とが接続され、風受け部２４が風Ｗを受けると吊り紐６Ａが揺れ、この揺れに連動して光源ユニット２、すなわち発光部１５も揺れ動くこととなる。
【００４５】
風受け部２４が風Ｗを受けて搖動されると、風鈴ユニット５が搖動する。風受け部２４が風を受けて搖動されると、光源ユニット２が、紐引掛け具４を中央として搖動し、火袋１との間の間隔が搖動する方向に相対するＳ１とＳ２に依存して変化し、火袋１が、光源ユニットから照射された光で４方の側方外面部で異なった輝度を生じさせる。
【００４６】
以上の構成である本実施例の風鈴付の提灯１００は、風受け部２４に風Ｗが当たると、この風受け部２４が揺れて、これに伴い吊り紐６Ａが揺れる。この吊り紐６Ａの揺れに伴い打ち金２３が動いて風鈴２１に接触して風鈴２１から音が発生する。この風鈴２１は、アルミ等の金属かガラスの材質からなる。
【００４７】
この例の場合、風鈴ユニット５は、上述の基板１０、接続紐１２、風鈴２１、吊り紐６Ａ、打ち金２３、短冊２４により構成される。
【００４８】
このように、光源ユニット２に、風鈴２１及び打ち金２３が取付けられ、風受け部２４が風Ｗを受けて搖動されると、風鈴２１及び打ち金２３が光源ユニット２と共に搖動され、火袋１によって生成された、４方の側方外面部で異なった輝度変化に連動して、風鈴２１及び打ち金２３が互いに衝打されて衝打音を発する提灯１００が構成される。この提灯１００は、光による明暗演出と衝打音による音演出が同時に共に生成される特徴を備える。
【００４９】
図２は、図１の風鈴付の提灯の電源投入部の構造を断面図で示す図である。筐体３０内に、スイッチング部３１及び接点３２が設けられる。このスイッチング部３１及び接点３２は、上述した電気回路の間に設けられ、電流の遮断若しくは投入を行う。このスイッチング部３１は、操作紐括り付け部３３、導電体からなる先端部３４が伸びたばね部３５を有しており、Ｒの方向に回動可能となっており、この先端部３４も図示する矢印の方向に移動可能となっており、接点３２に電気的に接続可能となっている。所定の位置まで回動すると固定されるいわゆるワンタッチ方式となっている。一般的にはプルスイッチと呼ばれる構造である。また、操作紐括り付け部３３には上述の吊り紐６Ａが括り付けられる。これにより、吊り紐６Ａは、筐体３０に形成された孔部３６を貫通し、操作紐括り付け部３３から下方に垂らされる。
【００５０】
次に、スイッチング部３１の動作を説明する。まず、吊り紐６Ａを下方に引っ張ることで操作紐括り付け部３３を介しスイッチング部３１が反時計回りに回動して所定の位置まで動いて固定される。その際、先端部３４が接点３２に接触し、電源が投入状態となる。これにより、発光部１５は発光する。
【００５１】
また、吊り紐６Ａをさらに下方に引っ張ることにより、スイッチング部３１は固定状態が解除されて元の位置に戻る。これにより、先端部３４は接点３２から離れて電源が遮断状態となる。すなわち、発光部１５の発光は消えることとなる。
【００５２】
図３は、図１の風鈴付の提灯の光源部の揺れによる光の揺れる状況を説明する図である。図３においては、説明便宜上、実際は備えている接続紐１２、電池収納部１３、電池１４、発光部１５、風鈴２１、打ち金２３を省略している。
【００５３】
本実施例の風鈴付提灯１００は、上述の通り、風受け部２４が風Ｗを受けて揺れ動くと、これに連動して発光部１５も揺れ動く。この結果、図示するように、（ａ）と（ｂ）の状態を繰り返されることとなり、発光部１５が照らす範囲に照射光強の明部分と照射光弱の暗部分とが生じ、明部分と暗部分となる範囲に変化が生じる。明部分が強い輝度領域となり、暗部分が弱い輝度領域となる。強い輝度領域と弱い輝度領域のアトランダムな変化により、光のゆらぎ効果が発生し、人体に癒しの効果を奏することとなる。
【００５４】
ここで、（ｃ）と（ｄ）は、それぞれ上述の（ａ）と（ｂ）の状態における（ａ）に示す矢印の方向から見た図を示している。これによれば、光源ユニット２から発光されることで形成される発光領域はそれぞれの状態間で形状に変化は見られないことを示している。
【００５５】
本実施例は、上述のように構成されたので、光源ユニットに、風鈴及び打ち金が取付けられ、前記風受け部が風を受けて垂直方向に対して横方向に搖動されると、前記風鈴及び打ち金が前記光源ユニットあるいは前記火袋と共に相対的に搖動され、前記４方の側方外面部で前記変化に伴う輝度変化に連動する形態で、風鈴及び打ち金が互いに衝打した音を発することを特徴とする提灯が提供される。
【００５６】
吊り紐によって光源と風鈴とを合わせて吊るすことで、光による明暗演出と衝打音による音演出による風鈴と提灯の２つの風情を味わうことができて、風受け部の揺れを利用して光源の光を揺らすことでゆらぎ効果を奏することができる、風鈴付の提灯を提供することができる。
【００５７】
図４は、本発明の実施例の他の例における提灯の構造を示す図である。
【００５８】
図４に示される提灯の構造が、図１に示される提灯の構造に対する相違は、図４に示される構造にあっては、風鈴２１及び打ち金２３を有しないことであり、他の構成は同一である。
【００５９】
よって、この構成では、衝打音による音演出が得られず、光による明暗演出と衝打音による音演出が同時に共に生成される特徴を有しないが、強い輝度領域と弱い輝度領域のアトランダムな変化により、光のゆらぎ効果が発生し、人体に癒しの効果が得られる。
【００６０】
図５は、本発明の実施例の他の例における提灯の構造を示す図である。
【００６１】
本実施例では、火袋３の形状が、上端部から下端部に亘って平面部６４が形成された平面形状となっている。先に示される提灯は、火袋の側方外面部が円形形状に形成された提灯であったが、本例の提灯は、幅広部と幅狭部とを有して偏平上に形成された提灯である特徴を備える。
【００６２】
これによれば、偏平方向の平面部６４が風Ｗを受けやすくなり、火袋３が揺れやすい形状となっている。つまり、この火袋３自体が風受け部としての機能を有する。火袋３が風Ｗを平面部６４で受けると、火袋３が強く揺れる。火袋の側方外面部が円形形状に形成された先の場合に比較して、火袋１が、光源ユニット２から照射された光で４方の側方外面部でより大きな異なった輝度を生じさせることになる。
【００６３】
この構造によれば、口金部８も先の場合に比べて強く揺れて風鈴２１に強く接触し、風鈴２１から強い音が発せられる。また、この接触により風鈴２１が揺れるので、これに伴い光源ユニット２も揺れることとなる。電源投入部に括り付けられる吊り紐は別途設けられる。この構成によれば、風受け部としての短冊を設ける必要がなくなる。このような構造としても、上述の実施例と同様の効果を奏することができる。
【００６４】
この提灯１００は、光による明暗演出と衝打音による音演出が同時に共に生成される特徴を備え、先の場合に比べて光による明暗演出と衝打音による音演出が同時に共に生成される特徴が強調される。
【００６５】
この実施例において得られる効果を説明する。
【００６６】
図６は、図５の提灯の光源部の揺れによる光の揺れる状況を説明する図である。
【００６７】
火袋１は、幅広部と幅狭部とを有して形成され、光源ユニット２が搖動されると、幅広部側と幅狭部側の端部にはそれぞれ暗部が形成される。先の場合に比べて幅広部側の暗部は幅狭部側の端部よりも暗くなる。すなわち明暗の差が、先の場合に比べて顕著に現れ、揺れの前後の発光領域が特に側面から見た場合に顕著な明暗相違が見られる。光源部２により形成される照射領域が変化することで、光の揺らぎが顕著となり、この提灯を見た者は、自然の風速変化に基づく光変化を演出する提灯を見ることで、より明るさの変化である光の演出を視覚的に楽しむことができる。
【００６８】
つまり、この例における提灯１００は、火袋１の外表面は、火袋１の上端部から下端部に亘り、平面形状からなる風受け部が形成され、光源ユニット２の搖動で、火袋１に、発光部１５の発光で形成される強調された３次元の発光領域を形成させる構造となっている。
【００６９】
図７は、本発明の実施例の他の例における風鈴付の提灯の構造を斜視図で示す図である。風鈴付の提灯の構造であることで先の実施例と同様構成であり、提灯１００は、火袋保持具３に取付けられる紐引掛け具４と、紐掛け具４に吊り下げられる吊り紐６と、釣り紐６に吊り下げられる光源ユニット２と、火袋の下端部に吊り下げられる他の吊り紐及び当該吊り紐に吊り下げられる風受け部２４と、を有する。
【００７０】
風受け部２４が風を受けて垂直方向に対して横方向に搖動されて、火袋１が光源ユニット２に対して相対的に搖動され、光源ユニット２と火袋１との任意の間の間隔が変化され、火袋１が、光源ユニット２からの光で４方の側方外面部で当該変化に伴う輝度変化を生じさせる。
【００７１】
本実施例の提灯１００は、先の場合に比べて風鈴２１の長さが長く、口金部８からその外方にまで飛び出した構成を持つ。すなわち先の場合に比べて、火袋内に設置されている風鈴２１が開口部を通過して外方へ突出した構成となっている。
【００７２】
本実施例の風鈴付提灯１００は、風鈴２１を口金部８に接触させることで音を発生させる。このような構造としても、上述の実施例と同様の効果を奏することができる。打ち金４２に代えて鐘を適用する構造としてもよい。
【００７３】
また、上述した基板１０は、例えば火袋保持具３に取付けて固定してもよい。この場合には、電源投入部（プルスイッチ）１１、電池収納部１３、電池１４も基板１０に取付けて固定し、発光部１５は吊り紐６に結び付けられて吊り下げられる状態とする。このとき、この発光部１５は基板の電気回路に図示しない電線により接続される。このような構造としても、上述の施例と同様の効果を奏することができる。
【００７４】
先の実施例の場合には、短冊の括り付けられた吊り紐６Ａが紐引掛け具４あるいは光源ユニット2に取り付けられたが、本例では、当該吊り紐６Ａに代えて短冊の括り付けられた吊り紐６Ｂが火袋1に取り付けられる。火袋１に口金部８が取り付けられる。
【００７５】
短冊は、上述の実施例の構成と同様に風受け部２４としての機能を有することとなる。この構成によれば、風受け部である短冊に風Ｗが当たることで短冊が揺れて、搖動する吊り紐６Ｂを介して火袋１が搖動する。先の実施例の場合には、火袋１の内部配置の風鈴ユニット５が搖動したが、本例では外側配置の火袋１が搖動する。火袋１の搖動は、風鈴ユニット５の搖動に伴う光源ユニット２の搖動に比べて小さいが、火袋１と光源ユニット２との間の間隔を変化させることができるので、火袋１が、光源ユニット２から照射された光で４方の側方外面部でより大きな異なった輝度を生じさせることになる。
【００７６】
火袋１の揺れに伴って口金部８と風鈴２１とがそれぞれ接触することで、風鈴２１の取り付けられた光源ユニット２も揺れることとなる。火袋１が、光源ユニット２から照射された光で４方の側方外面部でより大きな異なった輝度を生じさせることになる。
【００７７】
また、火袋１も揺れて口金部８と風鈴２１とがそれぞれ接触することで、音が発せられる。
【００７８】
このように、口金部８が火袋1に取り付けられ、風鈴２１が光源ユニット２に取付けられ、風受け部２４が風Ｗを受けて搖動されると、口金部８との接触で風鈴２１が搖動され、光源ユニット２が搖動され、火袋１によって生成された、４方の側方外面部で異なった輝度変化に連動して、搖動された口金部８と風鈴２１が互いに衝打されて衝打音を発する提灯１００が構成される。この提灯１００は、光による明暗演出と衝打音による音演出が同時に共に生成される特徴を備える。
【００７９】
以上のように、上述の例における提灯は、下方に開口が形成される火袋１と、開口の周囲に設けられる口金部８と、火袋１の内部に配設され、電源投入部１１及び発光部１５を有する光源ユニット２と、火袋１の上部を保持する火袋保持具３と、火袋保持具３に取付けられる紐引掛け具４と、火袋１の内方に配置され、紐引掛け具４に吊り紐６の引掛けで吊り下げられる風鈴２１とを有する風鈴ユニット５と、からなる風鈴付の提灯１００において、
光源ユニット２が吊り紐６によって吊り下げられ、
風鈴ユニット５は、火袋１に取り付けられた他の吊り紐６Ａに吊り下げられる。
【００８０】
光源ユニット２が、吊り紐６によって吊り下げられ、搖動状態の発光部１５から発光がなされる。火袋１が風Ｗを受けて搖動されると、風鈴２１に口金部８が衝打されて、光源ユニット２も搖動される構造となっている。このような構造によれば、火袋１と光源ユニット２との双方が搖動する。
【００８１】
風受け部が風Ｗを受けることで、光源ユニット２、すなわち発光部１５も揺れ動くので、風受け部の揺れ及び火袋の搖動を利用して光源ユニット２からの照射光を火袋の外表面で強弱に揺らすこととなってゆらぎ効果を奏することができる。よって、上述の実施例と同様の効果を奏する。
【００８２】
このように、火袋1及び風受け部２４が風Ｗを受けて搖動されると、口金部８が搖動され、光源ユニット２、火袋1との間隔がＳ１及びＳ２方向で変化し、火袋１によって生成された、４方の側方外面部で異なった輝度変化に連動して、口金部８及び風鈴２１が互いに衝打されて衝打音を発する提灯１００が構成される。この提灯１００は、光による明暗演出と衝打音による音演出が同時に共に生成される特徴を備える。
【００８３】
図８は、図１に示される提灯の変形例である提灯の構造を示す。
【００８４】
図８に示される提灯の構造が図１に示される提灯の構造と相違するとことは、図８に示される提灯の構造にあっては、風鈴２１の長さが長く、口金部８からその外方にまで飛び出した構成を持つ。すなわち先の実施例の場合に比べて、火袋内に設置されている風鈴２１が開口部を通過して外方へ突出した構成となっている。このような構造であっても、図１に示された提灯１００あるいは図7に示された提灯１００と同様の効果が有られる。
【００８５】
図９は、図８に示された風鈴２１に換えて風鈴４１を光源ユニット２に取り付けている。風鈴４１は、通常の形態をなし、外部の釣鐘状の風鈴本体４３と内部設置の打ち子４２からなる。このような構造であっても、図１に示された提灯１００と同様の効果が有られる。
【００８６】
図１及び図７〜図９に示されるように、光源ユニット２と風鈴ユニット５とを一つのキットとして構成することで、図１に示される光源ユニット２と風鈴ユニット５とのキットと図７〜図９のいずれかの図に示される光源ユニット２と風鈴ユニット５とのキットを周囲環境の変化に合わせて取りけることができる。このようにすることで、いろんな種類の光源ユニットと風鈴ユニットとのキットを取り揃えておくことで組み合わせを換え、種々のバリエーションに富んだ、風鈴と光源ユニットのセットからなる提灯を提供することができる。
【００８７】
図１０は、本発明の実施例になる提灯を集合化して、ゆらぎ効果を集合化できるように
した例を示す図である。図１０（a）は、上述した複数の提灯１００の例を羅列して集合体２００を形成した例を示し、図１０（ｂ）は、上述した複数の提灯の例の内、火袋の側方外面部が円形形状に形成された提灯１００と火袋の側方外面部が幅広部と幅狭部とを有して形成された提灯１００とから集合された集合体を羅列して集合体２００を形成した例を示す。
【００８８】
図１０において、集合体２００は、吊り下げ部材１１０に吊り下げられる。図１０（a）において、上述した複数の提灯１００が提灯１０１〜１０６として図示される。図１０（ｂ）において、上述した複数の提灯１００が火袋の側方外面部が円形形状に形成された提灯１０１と火袋の側方外面部が幅広部と幅狭部とを有して形成された提灯１０３の組み合わせで図示される。
【００８９】
各提灯は、一つの支持体の例である火袋保持具１１１〜１１７（図１の火袋保持具３に相当）によって羅列して吊り下げ部材１１０に吊り下げられる。
【００９０】
上述した実施例のいずれかに記載された提灯であって、火袋の側方外面部が円形形状に形成された提灯と火袋の側方外面部が幅広部と幅狭部とを有して形成された提灯とが集合された集合体を形成し、当該集合体が一つの支持体に、前記火袋保持具でそれぞれ取り付けられ、それぞれの火袋が、それぞれの光源ユニットからの光で４方の側方外面部でそれぞれの変化に伴う輝度変化を生じさせることを特徴とする提灯の集合体が形成される。吊り下げ部材１１０を折りたたみ形態とすることができる。これによって集合体を持ち運びすることが容易となり、飾り用品としての用途が増す。
【００９１】
この構成によれば、形状の異なった提灯が集合化されたことによって、それぞれの火袋が、それぞれの光源ユニットからの光で４方の側方外面部でそれぞれの変化に伴う輝度変化を生じさせ、統合した光効果が得られる。
【００９２】
統合化したゆらぎ効果によって見る人に対して癒しを与える効果を与えるようにすることで、その使用が夏場に限られていた提灯を、季節に限定されずに有効に楽しむことができる集合化された提灯として提供できる。
【符号の説明】
【００９３】
Ｌ…発光、Ｓ１、Ｓ２…搖動方向、Ｗ…風、１…火袋、２…光源ユニット、３…火袋保持具、４…紐引掛け具、５…風鈴ユニット、６、６Ａ…吊り紐、１０…基板、１１…電源投入部（プルスイッチ）、１２…接続紐、１５…発光部、２１…風鈴、２３…打ち金、２４…風受け部（短冊）、１００…提灯（風鈴付提灯）、１０１…火袋の側方外面部が円形形状に形成された提灯、１０３…と火袋の側方外面部が幅広部と幅狭部とを有して形成された提灯、２００…提灯の集合体。
【図１】
2019125539.tif 000003
【図２】
2019125539.tif 000004
【図３】
2019125539.tif 000005
【図４】
2019125539.tif 000006
【図５】
2019125539.tif 000007
【図６】
2019125539.tif 000008
【図７】
2019125539.tif 000009
【図８】
2019125539.tif 000010
【図９】
2019125539.tif 000011
【図１０】
2019125539.tif 000012
【手続補正書】
【提出日】平成30年3月7日(2018.3.7)
【手続補正１】
【補正対象書類名】特許請求の範囲
【補正対象項目名】全文
【補正方法】変更
【補正の内容】
【特許請求の範囲】
【請求項１】
火袋と、前記火袋の上部を保持する火袋保持具と、前記火袋の内部に配設され、電源投入部と発光する発光部とを有する光源ユニットと、を備えた提灯において、
前記火袋が下端に開口部を有し、
該火袋保持具に取付けられる紐引掛け具と、該紐掛け具に吊り下げられる吊り紐と、当該釣り紐に吊り下げられる前記光源ユニットと、当該光源ユニットに直接結び付けられて吊り下げられる他の吊り紐及び当該吊り紐に、前記開口部を介して、吊り下げられる風受け部又は前記紐掛け具に吊り下げられる吊り紐が前記光源ユニットに直接結び付けられて該光源ユニットの下方まで前記開口部を介して延在して、当該延在した部分に吊り下げられる風受け部と、を有し、
前記風受け部が風を受けて垂直方向に対して横方向に搖動されて、前記光源ユニットを前記火袋に対して相対的に搖動させ、前記光源ユニットと前記火袋との任意の間の間隔が変化され、前記火袋が、前記光源ユニットからの光で４方の側方外面部で前記変化に伴う輝度変化を生じさせること
を特徴とする提灯。
【請求項２】
請求項１に記載の提灯において、前記光源ユニットに、風鈴及び打ち金が取付けられ、火袋の前記開口部を介して吊り下げられた前記風受け部が風を受けて垂直方向に対して横方向に搖動されると、前記風鈴及び打ち金が前記光源ユニットあるいは前記火袋と共に相対的に搖動され、前記４方の側方外面部で前記変化に伴う輝度変化に連動する形態で、風鈴及び打ち金が互いに衝打した音を発することを特徴とする提灯。
【請求項３】
下方に開口が形成される火袋と、前記火袋の上部を保持する火袋保持具と、前記火袋の内部に配設され、電源投入部と発光する発光部とを有する光源ユニットと、を備えた提灯において、
該火袋保持具に取付けられる紐引掛け具と、該紐掛け具に吊り下げられる吊り紐と、当該釣り紐に吊り下げられる前記光源ユニットと、当該光源ユニットに吊り下げられる他の吊り紐及び当該吊り紐に吊り下げられる風受け部、前記紐掛け具に吊り下げられる吊り紐が前記光源ユニットの下方まで延在して、当該延在した部分に吊り下げられる風受け部、又は前記火袋の下端部に吊り下げられる他の吊り紐及び当該吊り紐に吊り下げられる風受け部と、を有し、
前記風受け部が風を受けて垂直方向に対して横方向に搖動されて、前記光源ユニットが前記火袋に対して相対的に搖動され、又は前記火袋が前記光源ユニットに対して相対的に搖動され、前記光源ユニットと前記火袋との任意の間の間隔が変化され、前記火袋が、前記光源ユニットからの光で４方の側方外面部で前記変化に伴う輝度変化を生じさせる提灯であって、
前記火袋は、側方外面部が、幅広部と幅狭部とを有して形成され、前記火袋の側方外面部が円形形状に形成された提灯に比較して、前記光源ユニットと前記火袋との任意の間の間隔がより大きく変化され、前記火袋が、前記光源ユニットからの光で４方の側方外面部で前記より大きな変化に伴うより大きな輝度変化を生じさせることを特徴とする提灯。
【請求項４】
下方に開口が形成される火袋と、前記火袋の上部を保持する火袋保持具と、前記火袋の内部に配設され、電源投入部と発光する発光部とを有する光源ユニットと、を備えた提灯において、
該火袋保持具に取付けられる紐引掛け具と、該紐掛け具に吊り下げられる吊り紐と、当該釣り紐に吊り下げられる前記光源ユニットと、当該光源ユニットに吊り下げられる他の吊り紐及び当該吊り紐に吊り下げられる風受け部、前記紐掛け具に吊り下げられる吊り紐が前記光源ユニットの下方まで延在して、当該延在した部分に吊り下げられる風受け部、又は前記火袋の下端部に吊り下げられる他の吊り紐及び当該吊り紐に吊り下げられる風受け部と、を有し、
前記風受け部が風を受けて垂直方向に対して横方向に搖動されて、前記光源ユニットが前記火袋に対して相対的に搖動され、又は前記火袋が前記光源ユニットに対して相対的に搖動され、前記光源ユニットと前記火袋との任意の間の間隔が変化され、前記火袋が、前記光源ユニットからの光で４方の側方外面部で前記変化に伴う輝度変化を生じさせる提灯であって、
火袋の側方外面部が円形形状に形成された提灯と火袋の側方外面部が幅広部と幅狭部とを有して形成された提灯とが集合されて集合体が形成され、当該集合体が一つの支持体に、前記火袋保持具でそれぞれ取り付けられ、それぞれの火袋が、それぞれの光源ユニットからの光で４方の側方外面部でそれぞれの変化に伴う輝度変化を生じさせることを特徴とする提灯の集合体。